(57)【特許請求の範囲】
【請求項１】
隔壁を挟んで薬液容器の全体を収められ外部から残液量の把握が可能な容器収容室と噴射式注射器先端部が嵌まり込む注射器嵌合室とが配置されており、前記容器収容室に面する隔壁には容器収容室に収められた薬液容器の蓋部材を貫通する薬液採取用の中空針部材が突設されていると共に、隔壁には前記注射器嵌合室に嵌まり込んだ噴射式注射器先端ノズルに形成されたジェット噴射口と前記中空針部材とを連通する小開口が形成されており、前記容器収容室の側壁部には前記噴射式注射器の先端ノズルの清掃又は交換を行なわなければならない薬液使用量による薬液低下に対応する長さを有する指標が設けられていることを特徴とする噴射式注射器用薬液容器収納ホルダー。
【発明の詳細な説明】
【０００１】
【発明の属する技術分野】
この発明は、携帯に適した噴射式注射器用の薬液容器を収容する薬液容器収納ホルダー、特に、噴射式注射器の先端ノズルの清掃、または、先端ノズルの交換時期が分かる薬液容器収納ホルダーに関する。
【０００２】
【従来の技術】
皮下注射用の針無注射器は、注射器先端ノズルの突端のジェット噴射口から薬液をジェット噴射することにより、注射針を使わずに薬液を皮膚から体内に注入できる注射器である。この針無注射器は、殆ど無痛で薬液を簡単に注射することができるので、医療施設だけでなく、例えば糖尿病患者が日常的にインスリンを自分で注射（自己注射）するのにも使われている。
【０００３】
針無注射器１は、図４に示すように本体としての第１グリップ（本体）ＧＡと第１グリップに対して回転摺動する第２グリップＧＢと、第１グリップＧＡの先端に捩じ込まれた着脱自在の先端ノズル５とよりなり、ノズル５には吸引された薬液が入る注射液室（シリンダ室）３とジェット噴射口（オリフィス）６が形成されており、注射液室３の内には往復摺動できるようにピストン７が配設されて、ピストン７は前記第２グリップＧＢに連結されており、図示のノズル５を下方にした状態では、薬液を吸引する時はグリップＧＢの回転操作でピストン７が引上げられ、逆に薬液を噴射する時はピストン７が圧縮バネの圧力、または、ガスの圧力によって急激に押し下げられて注射液室３の内の薬液がジェット噴射口６から勢いよくジェット噴射される構成となっている。なお、図中ＧＴは注射液室３内に吸引された薬液をジェット噴射、すなわち、注射を行う際のリリースボタンである。
【０００４】
図４に示す針無注射器は噴射式皮下注射方式の針無しの注射器であることから、注射する薬液を入れてある薬液バイアル（薬液容器）から注射器内に薬液を吸引する際に、図５に示す中空針部材４２を備えた特別のアダプタ４１が使われる。図６に示すように、このアダプタ４１を中空針部材４２がガラス製の薬液バイアル４３のゴム栓４４を貫通するようにして薬液バイアル４３の口へ取り付けておいて、図７に示すように、針無注射器１の注射器先端ノズル５をアダプタ４１の嵌合凹所４７に嵌め込んで針無注射器１とアダプタ４１とを連結する。
【０００５】
そして、針無注射器１の第１グリップＧＡを握って、第２グリップＧＢを所望の吸引量を示す目盛りに合うように回転操作して針無注射器１のピストン７を矢印ＲＡで示す方向へ引き下げる。そうすると、薬液バイアル４３の中の薬液が、中空針部材４２の通路４９を通りアダプタ４１の嵌合凹所４７の側に出て来て、さらに注射器先端ノズル５のジェット噴射口６から針無注射器１内の注射液室３に入る。注射器内に必要量の薬液が吸引されたら、針無注射器１をアダプタ４１から外し、針無注射器１の注射器先端ノズル５を注射個所に当てて、リリースボタンＧＴを押し薬液をジェット噴射させる。注射が終われば、衛生上の観点から、針無注射器１の注射器先端ノズル５と、アダプタ４１の嵌合凹所４７のそれぞれに専用キャップ（図示省略）を被せて分離状態で保管する。
【０００６】
糖尿病患者にあっては、薬液バイアル４３内のインスリンを針無注射器１に吸引し、自己注射するがインスリン薬剤は基本的にタンパク質であるのでタンパク質が結晶化し、針無注射器１の注射器先端ノズル５が目詰まりを生じる。したがって、針無注射器は、所定回数、例えば１４回のジェット噴射（皮下注射）する毎に、注射器先端ノズル５、すなわち、ジェット噴射口６を清掃するようにしている。
また、近年針無注射器は、衛生面、保守の観点から針無注射器の先端ノズルは使い捨てタイプ（ディスポーザブルタイプ）になってきており、この場合には先端ノズルを新しい先端ノズルと交換する必要がある。
【０００７】
このように針無注射器では、先端ノズルの清掃、ないし、交換が不可欠であるにもかかわらず清掃、ないし、交換時期は、患者、または、介護者（以下両者を含めて施術者と称する）のジェット噴射（皮下注射）回数の記憶に頼っていたのが実情である。
【０００８】
【発明が解決しようとする課題】
しかしながら、針無注射器の先端ノズルの清掃、ないし、交換時期を施術者の記憶に頼っていたのでは、次のような問題がある。
すなわち、施術者が皮下注射回数を忘れてしまう恐れがあり、所定回数を過ぎて先端ノズルを清掃、ないし、交換せずに針無注射器を使用する事態が生じ、インスリンのジェット噴射（皮下注射）ができなくなったり、所定量のインスリンを皮下注射できない、という問題がある。
【０００９】
特に、先端ノズルがディスポーザブルタイプの針無注射器では、先端ノズルが樹脂製であることから、目詰まりが生じない際には寿命に達しているにもかかわらず交換せずにそのまま注射を続けるという事態が容易に起こり得る。
この事態が続くと、やがて先端ノズルが破損し正確な注射ができなくなると共に、最悪の場合その破片が注射時に飛散し患者に危害を与える危険がある。
また、ガラス製の薬液バイアル４３は衝撃に弱く、アダプタで頸部のみで支持された剥き出しのままなので、携帯、ならびに、保管中に物に当たれば簡単に割れて薬液が全て駄目になってしまう恐れがある。
【００１０】
この発明は、上記の事情に鑑み、針無注射器の先端ノズルの清掃、ないし、交換時期が分かると共に、注射する薬液を入れてある薬液容器の破損を確実に防止できる噴射式注射器用の薬液容器収納ホルダーを提供することを目的としている。
【００１１】
【課題を解決するための手段】
上記目的を達成するため、本発明に係る噴射式注射器用薬液容器収納ホルダーは、隔壁を挟んで薬液容器の全体を収められ外部から残液量の把握が可能な容器収容室と噴射式注射器先端部が嵌まり込む注射器嵌合室とが配置されており、前記容器収容室に面する隔壁には容器収容室に収められた薬液容器の蓋部材を貫通する薬液採取用の中空針部材が突設されていると共に、隔壁には前記注射器嵌合室に嵌まり込んだ噴射式注射器先端ノズルに形成されたジェット噴射口と前記中空針部材とを連通する小開口が形成されており、前記容器収容室の側壁部には前記噴射式注射器の先端ノズルの清掃又は交換を行なわなければならない薬液使用量による薬液低下に対応する長さを有する指標が設けられていることを特徴とする。
【００１２】
定期的に注射を必要とする病患、例えば糖尿病患者では、患者が１回の注射で使用する薬液としてのインスリンの量は個々に決まっており、先端ノズルがディスポーザブルタイプでない針無注射器では、この１回の注射でのインスリンの使用量と針無注射器の先端ノズルの清掃を行わなければならない注射回数とを掛けたインスリンの使用量（延使用量）が先端ノズルの清掃時期であり、また、先端ノズルがディスポーザブルタイプの針無注射器では、上記１回の注射でのインスリンの使用量と先端ノズルの清掃を行わなければならない注射寿命回数を掛けたインスリンの延使用量が先端ノズルの交換時期であることから、インスリンの延使用量（または残量）から先端ノズルの清掃、ないし、交換時期が分かることになる。
【００１３】
したがって、この発明はこの点に着目し、容器収容室の側壁部に設けられた指標は、薬液の延使用量（または残量）を示すものであり、噴射式注射器の先端ノズルの清掃、または、先端ノズルの交換時期の目安となる。
【００１４】
上記の構成において、噴射式注射器用薬液容器収納ホルダー（以下容器ホルダーと称する）においては薬液容器を該ホルダーに装填保持する。
すなわち、容器ホルダーにおける容器収容室の薬液容器出入り用の開口を塞ぐ蓋を取り外して、薬液容器の口を塞いでいる栓体（蓋部材）を中空針部材の先端に向けたまま、薬液容器を開口から容器収容室に入れてから、再び蓋を取り付ければ、それで薬液容器が容器ホルダーに装填保持される。
薬液容器の装填状態では、中空針部材が容器収容室に装填された薬液容器の栓体を貫通して薬液に直に接触するとともに、薬液容器の全体が容器収容室に納まり、薬液容器が物に直接に当たる心配がないので、携帯、ならびに、冷蔵庫等に保管中の薬液容器の破損を防止できる。
【００１５】
皮下注射を行うに当たっては、容器収納ホルダーの注射器嵌合室に針無注射器の先端ノズルを嵌め込み、常法通り、針無注射器のピストンを引き下げると、このピストンの引き下げ操作で注射器内が負圧になるのに伴って、薬液容器の薬液は中空針部材の通路を通り、注射器嵌合室の隔壁に設けられた小開口を経てジェット噴射口から注射器内に、薬液バイアル内のインスリン等の薬液が１回の注射での使用量だけ吸引される。
１回の注射に必要量の薬液が吸引できたら、針無注射器の先端ノズルを容器収納ホルダーの注射器嵌合室より外して針無注射器を容器ホルダーから分離し、針無注射器の注射器先端ノズルのジェット噴射口を注射個所に当てて、薬液をジェット噴射させる。
【００１６】
このようにして針無注射器に１回の注射に必要量の薬液を吸引し、ジェット噴射（皮下注射）を行う毎に薬液バイアル内の薬液が消費されていき、薬液バイアル内の薬液の液面が次第に低下していき、液面が容器収容室の側壁部に設けられた指標の位置に達する。
薬液バイアル内薬液の液面が指標の位置に達したことで、施術者は先端ノズルの清掃、ないし、交換時期に至ったことが分かり、先端ノズルがディスポーザブルタイプでない針無注射器では先端ノズルの清掃を行い、また、先端ノズルがディスポーザブルタイプの針無注射器では新しい先端ノズルに取換え、指標の位置を次回の先端ノズルの清掃、ないし、交換時期となる延使用量（または残量）に対応する液面の低下位置に合わせる。
【００１７】
したがって、施術者は針無注射器先端ノズルの清掃、ないし、交換時期の目安となる注射回数を一々記憶しておく必要がなく、常に正確な注射が行え、精神的、肉体的ストレスからも開放される。
また、先端ノズルがディスポーザブルタイプの針無注射器にあっては、寿命に達しているにもかかわらず交換せずにそのまま注射を続けることによる先端ノズルの破損、その破損片の注射時の飛散による患者への危害を未然に防ぐことができる。
【００１８】
【発明の実施の形態】
以下、この発明の一実施例を図面を参照しながら説明する。図１は、実施例の噴射式注射器用薬液容器収納ホルダー（容器ホルダー）の構成を、噴射式注射器の先端ノズルまわりの構成と共に示す断面図である。
針無注射器１は、図４に示したように、注射器先端ノズル５には、吸引された薬液が入る注射液室（シリンダ室）３と先端側がオリフィス４になっていて、突端に直径１５０μｍ程度のジェット噴射口６が形成されている。一方、注射液室３の内には、往復摺動できるようにしてピストン７が配設されており、薬液を吸引する時はピストン７が引下げられ、逆に薬液を噴射する時は圧縮バネの圧力またはガス圧力によってピストン７が急激に押し上げられる通常の針無注射器と同様の薬液噴射構造となっており、図示の実施例では注射器先端ノズル５に後述の容器ホルダー２の注射器嵌合室９の開口部に形成されたネジ山９ａに螺合するネジ山５ａが設けられている。
【００１９】
針無注射器１の注射液室３への薬液の吸引、ジェット噴射（皮下注射）は、図４で説明したとおりである。
容器ホルダー２には、薬液バイアルの全体と薬液バイアルの保冷剤とが丁度納められる内部形状を有する容器収容室８と、注射器先端ノズル５が嵌まり込める内部形状の注射器嵌合室９とが、隔壁１０を間にして隣合わせに配設されている。容器収容室８と注射器嵌合室９にはそれぞれ薬液容器出入り用の開口１１、或いは、注射器先端部出入り用の開口１２が隔壁とは反対の側に形成されており、また、容器収容室８側の開口１１には取り外し可能な蓋２２が装着されている。
この蓋２２は、その内周面に設けられたネジ山２２ａと開口１１の外周面に設けられたネジ山１１ａとからなるネジ結合構造によって取り外し可能に装着され、また、保冷剤を収容する凹部２２′が形成されている。
【００２０】
容器収容室８では、薬液採取用の中空針（中空針部材）１３が隔壁１０から開口１１の方に先端１３ａを向けて垂直に突設されていると共に、中空針１３より少し短めの空気導入用中空針１４が、やはり隔壁１０から開口１１に先端１４ａを向け垂直に突設されている。中空針１４からの空気導入は、薬液バイアル内の圧力を大気圧力と平衡させるためである。勿論、両中空針１３，１４は、先端１３ａ，１４ａから末端１３ｂ，１４ｂまで長手方向に沿って貫通する細孔を有するものであることは言うまでもない。
【００２１】
さらに、容器ホルダー２には、噴射式注射器先端ノズルの清掃、または、先端ノズルの交換時期を示す指標３１が設けられており、実施例で指標３１は、透明リング状で容器収容室８の側壁部２′に矢印方向に移動、固定可能に設けられており、また、透明リング状指標３１は、当該患者の１回の注射でのインスリン等の薬液の使用量と先端ノズルの清掃を行わなければならない注射回数、または、ディスポーザブルタイプでは注射寿命回数を掛けた薬液の延使用量による薬液バイアル内薬液の液面低下に対応する長さｌを有している。
注射器嵌合室９では、嵌まり込んだ注射器先端ノズル５の突端をぴったり受け止める受当て面１５が隔壁１０の突き当たりに設けられている。隔壁１０の突き当たり部分はゴム部材１０ａで形成されていて、ゴム部材１０ａの弾性により注射器先端ノズル５の突端と受当て面１５が、隙間の無い状態でぴったり密接するようになっている。
【００２２】
また、針無注射器１のジェット噴射口６と合う受当て面１５の位置に中空針１３の細孔と連通している小開口１６が開いている。なお、実施例の場合、中空針１３の末端１３ｂはゴム部材１０ａの裏面１０ｂの位置で止まっており、中空針１３の末端１３ｂと小開口１６の間はゴム部材１０ａに設けられた細孔１７で繋がっている。
したがって、注射器先端ノズル５が受当て面１５に密接している状態では、噴射口６は、小開口１６から細孔１７を経由し中空針１３の細孔を経て、中空針１３の先端１３ａへ通じていることになる。
【００２３】
さらに、隔壁１０には、細孔通路１９により外気に通じる側室１８が設けられていると共に、中空針１４の末端１４ｂが側室１８に開いて連通している。側室１８には、球状弁体２０とバネ２１と側室入口側の傾斜面１８ａとで開閉弁機構が内設されている。通常は球状弁体２０が圧縮バネ２１に押されて傾斜面１８ａに当接し細孔通路１９を塞いでいるが、側室１８の内圧が外気側より一定以上負圧になると、球状弁体２０が内側に押されて傾斜面１８ａから離れて細孔通路１９が開き、外気が細孔通路１９を通して側室１８に流入する構成となっている。
【００２４】
また、実施例においては、容器ホルダー２の注射器嵌合室９の開口側内周面には、注射器先端ノズル５が注射器嵌合室９に嵌まり込んで注射器先端ノズル５の突端が受当て面１５に押し当てられた状態で、容器ホルダー２を注射器先端ノズル５設けられたネジ山５ａとネジ結合するネジ山９ａが設けられている。
したがって、注射器先端ノズル５を注射器嵌合室９にネジ込めば、注射器先端ノズル５が、注射器嵌合室９の奥に前進してゆき、注射器先端ノズル５の突端が受当て面１５に押し当てられた状態で針無注射器１に容器ホルダー２が連結し、逆にネジを緩めれば、注射器先端ノズル５が注射器嵌合室９から後退して来て針無注射器１と容器ホルダー２が分離される構成となっている。
【００２５】
容器ホルダー２は、アクリル樹脂やポリカーボネイト樹脂などの断熱性の高い透明性のあるプラスチック製のものが、装填中の薬液バイアル内の使用量（残液量）が外側から一目で分かるので好ましい。また、中空針１３，１４はステンレス鋼製の針などが例示される。さらに、受当て面１５が設けられるゴム部材１０ａとしては、耐薬品性に優れるラテックス（天然ゴム）が好ましい。
【００２６】
続いて、以上に述べた構成を有する実施例の容器ホルダー２の使用状態について具体的に説明する。
先ず、薬液バイアルの装填の仕方から説明する。図１に示すように容器収容室８の蓋２２を取り外して、容器ホルダー２の容器収容室８の内周面、蓋２２内面の凹部２２′に冷蔵庫で冷蔵しておいた保冷剤３２を入れる（図２参照）。
次に薬液バイアル３０の口を塞いでいるゴム栓（蓋部材）３１を中空針１３，１４の先端１３ａ，１４ａに向けた状態で、薬液バイアル３０を容器収容室８の中に中空針１３，１４がゴム栓３１の中程まで刺し込まれるよう押し込み、蓋２２をネジ込みながら薬液バイアル３０をさらに押し込んでゆく（図２参照）。
【００２７】
蓋２２がネジ込めなくなると、図２に示すように、蓋２２が取り付けられると同時に薬液バイアル３０が容器収容室８にぴったりとガタ付かない状態で装填保持される。なお、薬液バイアル３０のゴム栓３１が図２に示すように隔壁１０に当接状態に押し込んだ後、蓋２２をネジ込んでもよい。
薬液バイアル３０の装填状態では、中空針１３，１４の先端１３ａ，１４ａが薬液ＬＢに直に接触するとともに、薬液バイアル３０の全体が容器収容室８に納まり、薬液バイアル３０が直接物に当たる心配はない。
【００２８】
薬液バイアル３０を容器収容室８に装填した後（あるいは薬液バイアル３０の装填前）、図２に示すように、針無注射器１を注射器先端ノズル５の突端が受当て面１５に押し当てられるまで注射器嵌合室９にネジ込む。ついで、指標３１をそれの上端が薬液バイアル３０内薬液の液面と一致する位置イに移動させて図示しないビスで固定する。なお、指標３１の液面合わせは、注射器先端ノズル５を注射器嵌合室９にネジ込む前であっても好い。図２はこのように容器ホルダー２に薬液バイアル３０を装填し、注射器先端ノズル５を注射器嵌合室９にネジ込んで、針無注射器１と容器ホルダー２とを連結結合した状態を示す。
【００２９】
次に、針無注射器１の注射液室３への薬液ＬＢの吸引の仕方を説明する。ネジ連結された図２に示す状態の針無注射器１と容器ホルダー２を１８０゜回転させ容器収容室８を上にして、所望量の吸引量を示す目盛りに合うように第２グリップＧＢ（図４参照）を回転させてピストン７を引下げると、このピストン７の引下げで注射液室３内が負圧となり、薬液バイアル３０の中の薬液ＬＢが、中空針１３→細孔１７→小開口１６→ジェット噴射口６の経路で注射液室３へと導入される。
【００３０】
なお、薬液バイアル３０から薬液ＬＢが注射液室３に吸引されると、その分、側室１８が負圧となり、球状弁体２０が傾斜面１８ａから離れて、細孔通路１９→側室１８→中空針１４の経路で薬液バイアル３０の中に外気（空気）が瞬間的に導入される結果、薬液バイアル３０の内圧と大気圧とが平衡状態となる。薬液バイアル３０の内圧と大気圧とが平衡状態となると、側室１８の負圧も解消されるので、球状弁体２０が傾斜面１８ａに再び当接し、細孔通路１９が閉じられて外気の導入も自然に止まる。
【００３１】
さらに、皮下注射の実行について説明する。上記のようにして、必要量の薬液ＬＢを吸引した針無注射器１の第１グリップＧＡ（図４参照）を握んで反対に回転させてネジを緩め、針無注射器１を容器ホルダー２から分離する。そして、針無注射器１の注射器先端ノズル５を注射個所に当てておき、リリースボタンＧＴ（図４参照）を押すと、ピストン７が圧縮バネの圧力、または、ガスの圧力で押されて急激に押し上げられて薬液ＬＢがジェット噴射口６から噴射されて患者の体に注入される。
【００３２】
続いて、保管の仕方を説明する。注射が済めば、針無注射器１の第１グリップＧＡを握んで、図２に示すように、針無注射器１を注射器先端ノズル５の突端が受当て面１５に押し当てられるまで注射器嵌合室９に再びネジ込み、針無注射器１と容器ホルダー２を連結状態に戻す。
後はそのままの状態で保管する。注射器先端ノズル５の突端は受当て面１５に強く押し当てられているので、密閉状態が保たれ、薬液バイアル３０から薬液ＬＢが漏れる心配はない。
【００３３】
注射を行う都度、薬液バイアル３０内の薬液の液面が低下し、液面が指標３１の下端ロの位置に達すると針無注射器１の注射器先端ノズル５の清掃、ないし、交換時期であるので、針無注射器１の第１グリップＧＡを握んで回転させてネジを緩め、針無注射器１を容器ホルダー２から分離し、注射器先端ノズル５の清掃、ないし、交換を行い、針無注射器１の第１グリップＧＡを握んで、図２に示すように、針無注射器１を注射器先端部５の突端が受当て面１５に押し当てられるまで注射器嵌合室９に再びネジ込み、針無注射器１と容器ホルダー２を連結状態に戻す。
その後、ビスを緩めて指標３１を移動その上端を低下した液面位置ロに合わせビスで固定する。
【００３４】
したがって、術者は注射回数をカウントし、それを記憶することなく、注射器先端ノズル５の清掃、ないし、交換時期を知ることができるので、常に正確な注射が行え、しかも精神的、肉体的ストレスからも開放さる。
また、注射を行う都度、針無注射器１の注射器先端ノズル５はアルコールのついた脱脂綿等で消毒されるので、受当て面１５も常に清潔な状態に保たれる。つまり、容器ホルダー２は、薬液バイアルの保持機能の他に、針無注射器１の注射器先端ノズル５を保護するキャップ機能を兼ねていることになる。
さらに、針無注射器１と容器ホルダー２とが互いに連結結合された適切な状態で一体保管されることになり、携帯時に針無注射器１、薬液バイアル３０のいずれか一方を忘れることがなく、両方が必ずセットで持ち運ばれることになるので、糖尿病患者のようにインスリンを日常的に打つ場合に特に好適である。
なお、薬液バイアル３０が空になると、容器ホルダー２ごと廃棄するようにすると、衛生的であり、取扱いも楽である。しかし、容器ホルダー２は繰り返し使用されてもよい。
【００３５】
この発明は上記実施の形態に限られることはなく、下記のように変形実施することができる。
（１）実施例の容器ホルダーにおいて、容器収容室の内周面や蓋の裏面にクッション材を貼設し、薬液バイアルの側面や底面がクッション材と直に接するようにして、バイアルがより破損し難い構成にしたものを、変形例として挙げることができる。
（２）実施例の場合、薬液容器がバイアルタイプであったが、この発明は、薬液容器がカートリッジタイプであっても適用可能である。
（３）実施例では、容器ホルダーの注射器嵌合室と針無注射器の先端ノズルの双方にネジ山を設け、容器ホルダーを先端ノズルにネジ係合するようにしたが、ピンと案内溝の嵌め合いによる所謂ワンタッチ式の嵌合結合型の連結構造のものを、変形例として挙げることができる。また、実施例では、針無注射器本体に注射器先端ノズル５をネジ係合するようにしたが、ワンタッチ式の連結構造としてもよい。
【００３６】
（４）実施例では、保冷手段を保冷剤としたが、保冷剤の代わりに電子冷却素子を使い、電気的に冷蔵状態に保つことができるようにしてもよい。この場合、携帯性とコスト面では不利にはなるが、保冷剤よりもより長時間安心して携帯することができる。
（５）薬液バイアル内の薬液残量が外から判るように容器ホルダーに窓を形成してもよい。
（６）実施例では、リング状指標をビスで容器ホルダー２の容器収容室８の側壁部２′にビスで固定するようにしたが、図３に示すように患者の１回の注射による薬液使用量がきまっているので、図３に示すように容器ホルダー２の容器収容室８の側壁部２′に等ピッチの凹部３３を設け、リング状指標３１′に凹部３３に嵌まる凸部を形成した板ばね３４を取り付け、リング状指標３１′を板ばねの弾性力で容器収容室８の側壁部２′に固定するようにしてもよい。
また、指標は、同心状の多段リング状指標とし、等ピッチで伸縮するものであってもよい。
【００３７】
【発明の効果】
以上に述べたように、この発明の噴射式注射器用薬液容器収納ホルダー（容器ホルダー）によれば、針無注射器の先端ノズルの清掃、または、交換時期が分かるので、施術者は針無注射器の先端ノズルの清掃、または、交換時期となる注射回数を一々記憶しておく必要がなく、常に正確な注射が行えると共に、精神的、肉体的ストレスからも解放され、ＱＯＬが向上する。
【００３８】
また、先端ノズルがディスポーザブルタイプの針無注射器にあっては、寿命に達しているにもかかわらず交換せずにそのまま注射を続けることによる先端ノズルの破損、その破損片の注射時の飛散による患者への危害を未然に防ぐことができると共に、薬液容器は常に全体が容器ホルダーの容器収容室に納まり、薬液容器が物に当たる心配がなくなるので、薬液容器の破損を確実に防止することができる。
【００３９】
さらに、実施例のように容器ホルダーの注射器嵌合室に針無注射器の先端ノズルとの連結結合手段を設けておけば、容器ホルダーは針無注射器に連結結合可能であり、針無注射器は、実際に皮下注射を実行する極く僅かな時間の他は、針無注射器と薬液容器を装填する容器ホルダーの両者が連結状態にあって必ず一緒に在るので、針無注射器および薬液容器を常に一体管理することが可能となり、携帯時に針無注射器、薬液容器のいずれか一方を忘れることがない。
【００４０】
また、容器ホルダーに針無注射器を連結係合した状態では、針無注射器のキャップ機能を兼ね備えるので、双方に専用キャップを用いた場合と比べて、キャップの取り外しなどが不要であり、操作性が良好である。
さらに、実施例のように容器ホルダーの容器収容室は、保冷手段を設けておけば、薬液容器は常に冷蔵状態にあり、薬液は暑さから守られ、また、凍結から防がれるので長時間携帯できるのでよりＱＯＬが向上する。
【００４１】
また、保冷手段として実施例のように保冷剤を用いれば、ゲル状なので、衝撃吸収材として機能し、ガラス製のバイアル瓶をショックから守れ、より安全に携帯できる。
【図面の簡単な説明】
【図１】実施例の噴射式注射器用薬液容器収納ホルダー（容器ホルダー）の構成を針無注射器の先端ノズルの構成と共に示す断面図である。
【図２】実施例の容器ホルダーでの薬液バイアルの装填保持状態を示す断面図である。
【図３】容器ホルダーの他の実施例を示す模式図構成である。
【図４】針無注射器の概略構成図である。
【図５】従来の噴射式注射器用アダプタを示す正面図である。
【図６】従来の噴射式注射器用アダプタとバイアルの連結状態を示す正面図である。
【図７】従来の噴射式注射器の薬液吸引時の状態を示す正面図である。
【符号の説明】
１…針無注射器                      ２…容器ホルダー
５…注射器先端ノズル        ５ａ，９ａ…ネジ山
６…ジェット噴射口                  ８…容器収容室
９…注射器嵌合室                  １０…隔壁
１１，１２…開口                          １３…薬液採取用の中空針
１５…受当て面                      １６…小開口
２２…蓋                            ３０…薬液バイアル
３１′，３１…指標                          ＬＢ…薬液
【図１】
0003957381.tif 000002
【図２】
0003957381.tif 000003
【図３】
0003957381.tif 000004
【図４】
0003957381.tif 000005
【図５】
0003957381.tif 000006
【図６】
0003957381.tif 000007
【図７】
0003957381.tif 000008